(57)【要約】      （修正有）【課題】セルラと無線ＬＡＮのアグリゲーション形態における上りリンクのスケジューリング方法を提供する。【解決手段】ユーザ機器は、セルラとの無線ＬＡＮアグリゲーションのための設定情報を受信し、受信された設定に基づき、セルラ送受信機と無線ＬＡＮ送受信機とにパケット送信を割り振る。設定情報は、無線ＬＡＮ送受信機を介して、無線ＬＡＮアクセスポイントに送信されるパケットの、数量、割合、または比率のうちの少なくとも１つを示すデータ量を含む。【選択図】図２
2020005290.tif 000002
【特許請求の範囲】
【請求項１】
ユーザ機器を、セルラとの無線ＬＡＮアグリゲーションのために少なくとも設定する設定情報を、前記ユーザ機器にて受信することと、
前記受信された設定に基づき、セルラ送受信機と無線ＬＡＮ送受信機とにパケット送信を割り振ることと、
を含む方法。
【請求項２】
前記設定情報は、無線ＬＡＮアクセスポイントに前記無線ＬＡＮ送受信機を介して送信されるパケットの、数量、割合、または比率のうちの少なくとも１つを示すデータ量を含む、請求項１に記載の方法。
【請求項３】
前記設定情報は、無線ＬＡＮアクセスポイントに前記無線ＬＡＮ送受信機を介してパケットが送信される期間を示す時間を含む、請求項１に記載の方法。
【請求項４】
前記設定情報は、無線ＬＡＮアクセスポイントに前記無線ＬＡＮ送受信機を介してパケットが送信されるスケジュールを含む、請求項１に記載の方法。
【請求項５】
前記スケジュールはさらに、基地局に前記セルラ送受信機を介して送信されるパケットのためのスケジューリングを備える、請求項４に記載の方法。
【請求項６】
前記スケジュールは、コマンドまたはペイロードデータ制御チャネルコマンドのうちの少なくとも１つとして受信される、請求項４から５のいずれかに記載の方法。
【請求項７】
前記受信された設定に基づき割り振られた前記パケット送信の第１部分を、前記ユーザ機器の前記無線ＬＡＮ送受信機により送信することと、
前記受信された設定に基づき割り振られた前記パケット送信の第２部分を、前記ユーザ機器の前記セルラ送受信機により送信することと、
をさらに含む、請求項１から５のいずれかに記載の方法。
【請求項８】
前記無線ＬＡＮアクセスポイントがセルラとのアグリゲーションをサポートするかどうかを、前記第１部分を前記送信する前に判断すること
をさらに含む、請求項６に記載の方法。
【請求項９】
前記設定情報は、アクセス層ベアラおよび／または非アクセス層ベアラが前記無線ＬＡＮ送受信機を介して送信されるかまたは前記セルラ送受信機を介して送信されるかを前記ユーザ機器に示す、請求項１から８のいずれかに記載の方法。
【請求項１０】
前記設定情報は、論理チャネルが前記無線ＬＡＮ送受信機を介して送信されるかまたは前記セルラ送受信機を介して送信されるかを前記ユーザ機器に示す、請求項１から９のいずれかに記載の方法。
【請求項１１】
無線ＬＡＮ送受信機は、スペクトルのアンライセンス部分において動作する前記セルラ送受信機を備える、請求項１から１０のいずれかに記載の方法。
【請求項１２】
セルラとの無線ＬＡＮアグリゲーションのためのユーザ機器の設定を少なくとも有効化する設定情報を前記ユーザ機器に送信することを含む方法であって、前記構成情報は、セルラ送受信機と無線ＬＡＮ送受信機とにパケット送信を割り振るための情報を含む、方法。
【請求項１３】
前記設定情報は、無線ＬＡＮアクセスポイントに前記無線ＬＡＮ送受信機を介して送信されるパケットの、数量、割合、または比率のうちの少なくとも１つを示すデータ量を含む、請求項１２に記載の方法。
【請求項１４】
前記設定情報は、無線ＬＡＮアクセスポイントに前記無線ＬＡＮ送受信機を介してパケットが送信される期間を示す時間を含む、請求項１２に記載の方法。
【請求項１５】
前記設定情報は、無線ＬＡＮアクセスポイントに前記無線ＬＡＮ送受信機を介してパケットが送信されるスケジュールを含む、請求項１２に記載の方法。
【請求項１６】
前記スケジュールはさらに、基地局に前記セルラ送受信機を介して送信されるパケットのためのスケジューリングを備える、請求項１５に記載の方法。
【請求項１７】
前記スケジュールは、コマンドまたはペイロードデータ制御チャネルコマンドのうちの少なくとも１つとして受信される、請求項１５から１６のいずれかに記載の方法。
【請求項１８】
前記設定情報は、アクセス層ベアラおよび／または非アクセス層ベアラが前記無線ＬＡＮ送受信機を介して送信されるかまたは前記セルラ送受信機を介して送信されるかを前記ユーザ機器に示す、請求項１２から１７のいずれかに記載の方法。
【請求項１９】
前記設定情報は、論理チャネルが前記無線ＬＡＮ送受信機を介して送信されるかまたは前記セルラ送受信機を介して送信されるかを前記ユーザ機器に示す、請求項１２から１８のいずれかに記載の方法。
【請求項２０】
処理手段及び記憶手段を備える装置であって、前記記憶手段はプログラム命令を備え、前記プログラム命令は、前記処理手段に実行されると、前記装置に、請求項１から１１のいずれかに記載の方法を遂行させるように構成される、装置。
【請求項２１】
ユーザ機器として構成される、請求項２０に記載の装置。
【請求項２２】
処理手段及び記憶手段を備える装置であって、前記記憶手段はプログラム命令を備え、前記プログラム命令は、前記処理手段に実行されると、前記装置に、請求項１２から１９のいずれかに記載の方法を遂行させるように構成される、装置。
【請求項２３】
装置の処理手段に実行されると、前記装置に、請求項１から１１のいずれかに記載の方法を遂行させるように構成されるプログラム命令を備える、コンピュータプログラム。
【請求項２４】
装置の処理手段に実行されると、前記装置に、請求項１２から１９のいずれかに記載の方法を遂行させるように構成されるプログラム命令を備える、コンピュータプログラム。
【請求項２５】
ユーザ機器を、セルラとの無線ＬＡＮアグリゲーションのために少なくとも設定する設定情報を、前記ユーザ機器にて受信する手段と、
前記受信された設定に基づき、セルラ送受信機と無線ＬＡＮ送受信機とにパケット送信を割り振る手段と、
を備える装置。
【請求項２６】
セルラとの無線ＬＡＮアグリゲーションのためのユーザ機器の設定を少なくとも有効化する設定情報を前記ユーザ機器送信する手段を備える装置であって、前記構成情報は、セルラ送受信機と無線ＬＡＮ送受信機とにパケット送信を割り振るための情報を含む、装置。
【発明の詳細な説明】
【分野】
【０００１】
本願明細書に記載される主題は、ワイヤレス通信に関する。
【背景】
【０００２】
ヘテロジニアスネットワーク（ＨｅｔＮｅｔ：ｈｅｔｅｒｏｇｅｎｅｏｕｓ  ｎｅｔｗｏｒｋ）の使用は、マクロセルから、典型的に容量がより大きいスモールセルに、トラフィックをオフロードする機会を提供できる。ヘテロジニアスネットワークは、１つ以上のスモールセルにサービスを提供する、ＷｉＦｉワイヤレスアクセスポイントなどの１つ以上のワイヤレスアクセスポイントを含むこともあり、さらに、マクロセルにサービスを提供する１つ以上の基地局を含むこともある。例えばＷｉＦｉワイヤレスアクセスポイントは、住居、小規模企業、建物、営業所、または小領域を例として含む、スモールセル、またはカバレッジエリアをカバーするよう実装されてもよい。ＷｉＦｉワイヤレスアクセスポイントは、そのカバレッジエリアが限定的であることから、範囲および出力はより小さくてもよいが、提供する容量およびデータ転送速度はより大きいこともある。したがって、ワイヤレスサービスプロバイダは、スモールセルを、サービスカバレッジを拡大する方途として、および／またはトラフィックをスモールセルにオフロードする方途として、および／または例えばより高いデータ転送速度、より低いレイテンシ、エネルギー効率の良さなどの拡張されたサービスを提供するための方途として考えている。
【摘要】
【０００３】
いくつかの例示の実施形態において、方法が提供される。本方法は、ユーザ機器をセルラとの無線ＬＡＮアグリゲーションのために少なくとも設定する設定情報をユーザ機器にて受信すること、および受信された設定に基づきパケット送信をセルラ送受信機と無線ＬＡＮ送受信機とに割り振ることとを含んでもよい。
【０００４】
いくつかの変形では、以下の特徴を含む、本願明細書に開示された特徴のうちの１つ以上が、実現可能な任意の組み合わせで任意選択で含まれることが可能である。設定情報は、無線ＬＡＮアクセスポイントに無線ＬＡＮ送受信機を介して送信されるパケットの、数量、割合、または比率のうちの少なくとも１つを示すデータ量を含んでもよい。設定情報は、無線ＬＡＮアクセスポイントに無線ＬＡＮ送受信機を介してパケットが送信される期間を示す時間を含んでもよい。設定情報は、無線ＬＡＮアクセスポイントに無線ＬＡＮ送受信機を介してパケットが送信されるスケジュールを含んでもよい。スケジュールはさらに、基地局にセルラ送受信機を介して送信されるパケットのためのスケジューリングを含んでもよい。スケジュールは、コマンドまたはペイロードデータ制御チャネルコマンドのうちの少なくとも１つとして受信されてもよい。ユーザ機器の無線ＬＡＮ送受信機は、受信された設定に基づき割り振られたパケット送信の第１部分を送信してもよく、ユーザ機器のセルラ送受信機は、受信された設定に基づき割り振られたパケット送信の第２部分を送信してもよい。無線ＬＡＮアクセスポイントがセルラとのアグリゲーションをサポートするかどうかについての判断が、第１部分を送信する前に下されてもよい。設定情報は、アクセス層ベアラおよび／または非アクセス層ベアラが無線ＬＡＮ送受信機を介して送信されるかまたはセルラ送受信機を介して送信されるかをユーザ機器に示してもよい。設定情報は、論理チャネルが無線ＬＡＮ送受信機を介して送信されるかまたはセルラ送受信機を介して送信されるかをユーザ機器に示してもよい。無線ＬＡＮ送受信機は、スペクトルのアンライセンス部分において動作するセルラ送受信機を含んでもよい。
【０００５】
いくつかの例示の実施形態において、方法が提供される。本方法は、セルラとの無線ＬＡＮアグリゲーションのためのユーザ機器の設定を少なくとも有効化する設定情報を送信することを含んでもよい。
【０００６】
いくつかの変形では、以下の特徴を含む、本願明細書に開示された特徴のうちの１つ以上が、実現可能な任意の組み合わせで任意選択で含まれることが可能である。設定情報は、無線ＬＡＮアクセスポイントに無線ＬＡＮ送受信機を介して送信されるパケットの、数量、割合、または比率のうちの少なくとも１つを示すデータ量を含んでもよい。設定情報は、無線ＬＡＮアクセスポイントに無線ＬＡＮ送受信機を介してパケットが送信される期間を示す時間を含んでもよい。設定情報は、無線ＬＡＮアクセスポイントに無線ＬＡＮ送受信機を介してパケットが送信されるスケジュールを含んでもよい。スケジュールはさらに、基地局にセルラ送受信機を介して送信されるパケットのためのスケジューリングを含んでもよい。スケジュールは、コマンドまたはペイロードデータ制御チャネルコマンドのうちの少なくとも１つとして受信されてもよい。設定情報は、アクセス層ベアラおよび／または非アクセス層ベアラが無線ＬＡＮ送受信機を介して送信されるかまたはセルラ送受信機を介して送信されるかをユーザ機器に示してもよい。設定情報は、論理チャネルが無線ＬＡＮ送受信機を介して送信されるかまたはセルラ送受信機を介して送信されるかをユーザ機器に示してもよい。
【０００７】
上記の態様および特徴は、所望の構成に応じて、システム、装置、方法、および／またはコンピュータ可読媒体に実装され得る。本願明細書に記載される主題の１つ以上の変形の詳細が、添付の図面および以下の説明に記載される。本願明細書に記載される主題の特徴および利点は、本記載および図面、ならびに特許請求の範囲から明らかとなる。いくつかの例示的な実施形態には、下記の詳細な説明に記載されるような、および／または以下の特徴の中に記載されるような１つ以上の変化をも加えられ得る。
【図面の簡単な説明】
【０００８】
各図面には以下を示す。
【０００９】
【図１】いくつかの例示の実施形態による、セルラ・無線ＬＡＮアグリゲーションのためのシステムの例を示す。
【００１０】
【図２】いくつかの例示の実施形態による、セルラ・無線ＬＡＮアグリゲーションのためのプロセスの例を示す。
【００１１】
【図３】いくつかの例示の実施形態による、セルラ・無線ＬＡＮアグリゲーションのためのシステムの別の例を示す。
【００１２】
【図４】いくつかの例示の実施形態による装置の例を示す。
【００１３】
【図５】いくつかの例示の実施形態による装置の別の例を示す。
【００１４】
図面中の同一または類似の項目は、同じ標示を使用して示す。
【詳細説明】
【００１５】
Ｈｅｔｎｅｔでは、インターワーキングが提供され得る。インターワーキングでは、ネットワークは、アクセスポイントネットワークレベルで、例えばデータ送信がセルラネットワークにステアリングされるべきか、または無線ＬＡＮ（ＷＬＡＮ：ｗｉｒｅｌｅｓｓ  ｌｏｃａｌ  ａｒｅａ  ｎｅｔｗｏｒｋ）にステアリングされるべきかを指定し得る。このステアリングは、例えば或るアプリケーションからのパケットのフローが（全体として且つアクセスポイントネットワークレベルで）セルラネットワークまたは無線ＬＡＮを介して送信されるが、両方を介して同時にはされないという点で、どちらかというと静的である。対照的に、セルラ・無線ＬＡＮアグリゲーションは、パケットフローが分割されてもよく、その結果、フローからのパケット群が、（例えばスケジューリングなどにより）セルラネットワーク、無線ＬＡＮ、または両方に割り振られ得るという意味で、より動的である。例えばＵＥは、第１部分のパケットをセルラを介した送信に、第２部分のパケットを無線ＬＡＮを介した送信に割り振ってもよい。この例では、これらのパケットは、後で、ネットワークにおいて結合可能である。このようにして、セルラと無線ＬＡＮとのアグリゲーションは、セルラと無線ＬＡＮとの両リソースの（例えばネットワークによる）より動的な制御を可能にする。
【００１６】
さらに、ユーザ機器（ＵＥ：ｕｓｅｒ  ｅｑｕｉｐｍｅｎｔ）は、アグリゲートセルラ無線アクセスモードおよび無線ＬＡＮアクセスモードで動作するよう構成され得る。セルラ・無線ＬＡＮアグリゲーション（ｃｅｌｌｕｌａｒ  ＷＬＡＮ  ａｇｇｒｅｇａｔｉｏｎ）モードのとき、ＵＥは、パケットが送信または受信され得るアクティブなセルラ無線ベアラを有することができ、さらにＵＥは、パケットが送信または受信されるアクティブな無線ＬＡＮベアラを有することができる。ただし、上りリンク（ＵＥから基地局またはワイヤレスアクセスポイントへの送信リンク）については、ＵＥは、所与のパケットをＵＥのＷＬＡＮ送受信機およびＷＬＡＮ上りリンクを介して送信するべきか、またはＵＥのセルラ送受信機およびセルラ上りリンクを介して送信するべきかを知る必要があるかもしれない。
【００１７】
いくつかの場合には、セルラ・ＷＬＡＮアグリゲーションは、セルラおよびＷＬＡＮの両ネットワークの統一的制御および管理を可能にし得る。セルラ・ＷＬＡＮアグリゲーションでは、無線リソース管理がセルラおよびＷＬＡＮリソースのスケジューリングを提供し得る。さらに、一般的に信頼性がより高いセルラが制御およびモビリティのアンカーとして使用されて、体験品質の改善をもたらし、サービス中断を削減し、ネットワーク事業者による制御を強化し得る。セルラ・ＷＬＡＮアグリゲーションに関するさらなる詳細は、３ＧＰＰ  ＴＳＧ  ＲＡＮ第６７回会合ＲＰ−１５ｘｘｘｘ（3GPP TSG RAN Meeting #67  RP-15xxxx）、上海、中国、２０１５年３月、「ＬＴＥ−ＷＬＡＮ無線レベル統合およびインターワーキングの拡張（LTE-WLAN Radio Level Integration and Interworking Enhancement）」ならびに３ＧＰＰ  ＴＳＧ、ＷＧ−ＲＡＮ第６２回会合（3GPP TSG, WG-RAN Meeting #62）、ＲＰ−１３２１０１、韓国、釜山、２０１３年１２月３日〜１２月６日、「ＷＬＡＮ／３ＧＰＰ無線インターワーキング−コア（WLAN/3GPP Radio Interworking - Core）」にある。
【００１８】
いくつかの例示の実施形態において、セルラとＷＬＡＮとの上りリンクアグリゲーションが提供され、この上りリンクアグリゲーションは、１つ以上のパケットを、セルラ基地局への送信のためにセルラ送受信機へ、および／またはＷＬＡＮワイヤレスアクセスポイントへの送信のためにＷＬＡＮ送受信機へ振り向ける（例えば上位レイヤアプリケーションからのパケットフローの各部分を分配するまたは割り振る）コントローラにより提供される。コントローラは、パケット（単数または複数）をＵＥのセルラ送受信機またはＷＬＡＮワイヤレスアクセスポイントへ、１つ以上の要因に基づき振り向けることができる。これら要因は、データの量、時間パラメータ、スケジュール、および／または特殊なスケジューリング（セルラ、特定のベアラ、および／または特定の論理チャネルを介し得る）を含んでもよい。あるいは、またはさらに、いくつかの例示の実施形態では、他の条件および／または閾値が満たされているとき、ＵＥのＷＬＡＮ送受信機を介して上りリンクアグリゲーションが実行されてもよい。
【００１９】
図１は、いくつかの例示の実施形態による、カバレッジエリア１１２Ｂにサービスを提供するＷＬＡＮワイヤレスアクセスポイント１１０Ｂ、およびマクロセル１１２Ａにサービスを提供する、例えば発展型ノードＢ基地局１１０Ａなどのセルラ基地局１１０Ａを含む例示のシステム１００を示す。
【００２０】
いくつかの例示の実施形態によれば、システム１００はさらに、コントローラ１５０、セルラ送受信機１６４、およびＷＬＡＮ送受信機１６２を有するユーザ機器１３０を含んでもよい。セルラ送受信機は、セルラ上りリンクを基地局１１０Ａへ送信し、且つ／またはセルラ下りリンクを基地局１１０Ａから受信してもよく、ＷＬＡＮ送受信機は、ＷＬＡＮ上りリンクをＷＬＡＮワイヤレスアクセスポイント１１０Ｂへ送信し、且つ／またはＷＬＡＮ下りリンクをＷＬＡＮワイヤレスアクセスポイント１１０Ｂから受信してもよい。
【００２１】
図１は基地局／アクセスポイント、セル、およびユーザ機器の具体的な数量および構成を示すが、他の数量および構成も同様に実装され得る。さらに、基地局およびワイヤレスアクセスポイントは、他のネットワーク（例えばインターネット）、ノード（他の基地局、ワイヤレスアクセスポイント、ゲートウェイなど）などへのバックホールリンクを含んでもよい。
【００２２】
上述のように、ＷＬＡＮ／セルラアグリゲーションの場合、コントローラ１５０を含むユーザ機器１３０は、（例えばＵＥの上位アプリケーションからの）所与のパケットが、セルラ送受信機により（セルラキャリア周波数を介して）送信されるべきか、またはＷＬＡＮ送受信機の送信（ＷＬＡＮキャリア周波数を介して）により送信されるべきかを決定しなければならないかもしれない。そのために、コントローラ１５０が、ＷＬＡＮ／セルラアグリゲーションモードで、所与のパケットがセルラ送受信機を介して送信されるべきかまたはＷＬＡＮ送受信機を介して送信されるべきかを判断してもよい。
【００２３】
いくつかの例示の実施形態では、コントローラ１５０は、データまたはパケットフローをＷＬＡＮ送受信機１６２の上りリンクまたはセルラ送受信機１６４の上りリンクに割り振って（または分配して）もよく、この割り振りは、データの量または時間を含むネットワーク設定情報に基づいてもよい。
【００２４】
いくつかの例示の実施形態において、ＵＥ１３０は、例えばデータ量に基づきネットワークにより設定されてもよい。例えばネットワークは、設定情報を（例えばシグナリング、ブロードキャスト、および／または同様のものにより）送信してもよく、この設定情報は、パケットカウント閾値を超える任意のパケットが例えばＷＬＡＮ送受信機１６２に送信され得るように、パケットカウントを示してもよい。いくつかの例示の実施形態では、ネットワークの設定情報は、特定のパケット（例えばｘ個ごとに１つのパケット）が、例えばＷＬＡＮ送受信機１６２に送信されるべきであると示してもよい。例えばコントローラ１５０は、送信のためにパケットを１つおきにＷＬＡＮ送受信機１６２へ送信するよう設定されてもよい。いくつかの例示の実施形態において、ネットワークの設定情報は、パケットの特定の割合が、送信のためにＷＬＡＮ送受信機１６２へ送信されるべきであると示してもよい。いくつかの例示の実施形態において、ネットワークの設定情報は、パケットの特定の比率が、送信のためにＷＬＡＮ送受信機１６２へ送信されるべきであると示してもよい。例えばコントローラ１５０は、ＷＬＡＮ送受信機とセルラ送受信機との間に或るパケット比率を維持するよう構成されてもよい。いくつかの例示の実施形態において、ネットワークの設定情報はバイト量を示してもよい。例えば、コントローラ１５０へのネットワーク指示は、所定量のパケット（例えば５００パケット）が送信されるべきであると指定してもよい。いくつかの例示の実施形態において、ネットワークの設定情報は所定のパケット割合を示してもよい。例えば、コントローラ１５０に対するネットワーク指示は、データのｘパーセントがＷＬＡＮを介して送信されるべきであると指定してもよい。前の例は、ＷＬＡＮ送受信機へのパケットのルーティングのネットワーク制御を説明するものであるが、ネットワークは、どのパケットがセルラ送受信機にルーティングされるかも指示してもよい。
【００２５】
いくつかの例示の実施形態において、ＵＥ１３０は、例えばネットワークにより時間に基づき設定されてもよい。例えばネットワークは、パケットを特定の時間に特定の送受信機に送信するようコントローラ１５０を設定してもよい。さらに例示すると、コントローラは、ＷＬＡＮ送受信機に例えば１０ミリ秒間パケットを送信して、次いでセルラ送受信機でさらに１０ミリ秒間送信してもよい。いくつかの例示の実施形態では、コントローラ１５０は、特定の期間（例えばｙミリ秒、ｍｓ）はＷＬＡＮ送受信機およびセルラ送受信機の両方で送信するが、次に別の期間（例えばｘ  ｍｓ）はセルラ送受信機のみで送信するよう設定されてもよい。
【００２６】
いくつかの例示の実施形態において、ネットワークは上りリンク送信をスケジューリングしてもよい。例えばセルラネットワークは、基地局１１０Ａを介してＵＥ１３０にスケジュールをシグナリングしてもよい。このスケジュールは、ＵＥ１３０が上りリンクを（セルラ送受信機１６４を介して）基地局１１０Ａに送信できる時間（および／またはデータの量）と、ＵＥ１３０が別の上りリンクを（ＷＬＡＮ送受信機１６２を介して）ＷＬＡＮワイヤレスアクセスポイント１１０Ｂに送信できる時間（および／またはデータの量）とを含め、リソースを割り当ててもよい。ネットワークは、ペイロードデータ制御チャネル（ＰＤＣＣＨ：ｐａｙｌｏａｄ  ｄａｔａ  ｃｏｎｔｒｏｌ  ｃｈａｎｎｅｌ）コマンドまたは拡張ＰＤＣＣＨコマンドなどのコマンドを、（セルラ送受信機１６４による）セルラ上りリンクを介した送信または（ＷＬＡＮ送受信機１６２による）ＷＬＡＮ上りリンクを介した送信を明示的にスケジューリングするために送信してもよい。あるいは、またはさらに、ネットワークは、ＵＥがどの時間にＷＬＡＮ上りリンクを介して送信できるかを示す半永続性のスケジューリングコマンドを提供してもよい。このネットワークスケジューリングコマンドはさらに、（セルラ送受信機１６４により）セルラ上りリンクを介してまたは（ＷＬＡＮ送受信機１６２により）ＷＬＡＮ上りリンクを介して送信されるデータの量を示してもよい。
【００２７】
いくつかの例示の実施形態では、ＵＥは、セルラ−ＷＬＡＮアグリゲーションの条件が満たされているとネットワーク（例えば基地局１１０Ａまたはワイヤレスアクセスポイント１１０Ｂ）にレポートしてもよい。次にネットワークは、ＵＥのセルラ・ＷＬＡＮアグリゲーションモードの設定（例えば情報提供、アクティブ化、および／または同様のこと）をしてもよい。ＵＥは、例えばセルラ上りリンクを介した送信に利用でき且つ準備のできているデータの量（例えば１００バイト）を示す上りリンクバッファステータスレポートをネットワークに送信してもよい。ＵＥはさらに、ＷＬＡＮ送信に利用可能なデータの量もネットワークに送信してもよい。ネットワークは、或る量のデータ（例えば５０バイト）がセルラ上りリンクを介して送信されてもよく、他の量のデータがＷＬＡＮ上りリンクにより送信されてもよい（例えば５０バイト）と示す上りリンクグラントをＵＥに送信してもよい。いくつかの例示の実施形態において、ネットワークは上りリンクグラントのためのスケジュールを決定してもよい。このスケジュールは、（例えば輻輳を回避するためまたは負荷分散を提供するため）ＷＬＡＮおよびセルラの両システムにおける負荷、データ／パケットのレイテンシ要件、データ／パケットのスループット要件、および／またはサービス品質要求（例えば、サービス品質に関するＵＥの加入者クラス）に基づき決定されてもよい。グラントに応答して、ＵＥは、データを送信してもよい（例えば５０バイトをセルラ上りリンクを介して、他の量のデータ（例えば５０バイト）をＷＬＡＮ上りリンクを介して）。セルラ上りリンクは、ライセンス帯域内であってもよいが、アンライセンス帯域も使用され得る。
【００２８】
図２は、いくつかの例示の実施形態による、シグナリング図２００の例を示す。シグナリング図は、データ量または時間に基づくシーケンス２０５〜２１５を含み、スケジュールに基づく第２のシーケンス２５０〜２７０を含む。図２の記載は、図１も参照する。
【００２９】
いくつかの例示の実施形態によれば、２０５にてネットワークは、ＵＥがどのようにデータをＷＬＡＮ送受信機／ＷＬＡＮ上りリンクとセルラ送受信機／セルラ上りリンクとに割り振るべきかを示す情報によりＵＥを設定してもよい。例えば、基地局１１０Ａなどのノードおよび／またはその他任意のノードが、設定情報をＵＥ１３０に送信してもよい。設定は、コントローラ１５０を含むＵＥ１３０に、どの送受信機１６２または１６４を使用すべきか、ひいてはどのようにパケットをＷＬＡＮ送受信機／ＷＬＡＮ上りリンクとセルラ送受信機／セルラ上りリンクとに分配する／割り振るべきかを示してもよい。上述のとおり、設定情報は、データ量（例えばパケットカウント、バイト、割合、比率、および／または同様のもの）または時間（例えばｘミリ秒間はＷＬＡＮを介して送信し次いでｙミリ秒間はセルラを介して送信する）に基づいてもよい。いくつかの例示の実施形態において、ＵＥは、２０５の設定に従い、少なくとも１つのパケットが２１０でＷＬＡＮ送受信機および上りリンクを介してワイヤレスアクセスポイント１１０Ｂへ送信されるよう、ＷＬＡＮ送受信機にルーティングされるようにパケットを割り振ってもよく、いくつかの例示の実施形態によれば、ＵＥはさらに、２０５の設定に従い、少なくとも１つのパケットが２１５でセルラ送受信機および上りリンクを介して基地局１１０Ａへ送信されるよう、セルラ送受信機にルーティングされるようにパケットを割り振ってもよい。
【００３０】
いくつかの例示の実施形態によれば、２５０にて基地局１１０Ａは、ＰＤＣＣＨコマンドなどのコマンドをＵＥ１３０へ送信してもよく、このコマンドは、ＷＬＡＮ送受信機およびＷＬＡＮ上りリンクを介してデータを送信するためのスケジュールを示してもよい。ＰＤＣＣＨコマンドについては、ＷＬＡＮ上りリンク（およびＷＬＡＮ送受信機１６２）を介した送信の明示的スケジューリングに拡張されてもよい。
【００３１】
いくつかの例示の実施形態によれば、２５５にてＵＥは、２５０で提供されたスケジュールに従って、少なくとも１つのパケットがＷＬＡＮ送受信機および上りリンクを介したワイヤレスアクセスポイント１１０Ｂへの送信のためにＷＬＡＮ送受信機にルーティングされるようパケットを割り振ってもよい。
【００３２】
いくつかの例示の実施形態によれば、２６０にて基地局１１０Ａは、ＰＤＣＣＨコマンドなどのコマンドをＵＥ１３０へ送信してもよく、このコマンドは、セルラ送受信機およびセルラ上りリンクを介してデータを送信するためのスケジュールを示してもよい。いくつかの例示の実施形態によれば、２７０にてＵＥは、２６０で提供されたスケジュールに従って、少なくとも１つのパケットがセルラ送受信機および上りリンクを介した基地局１１０Ａへの送信のためにセルラ送受信機にルーティングされるようパケットを割り振ってもよい。
【００３３】
したがって、いくつかの例示の実施形態では、例えばＵＥのアプリケーションからのデータが、或る宛先（例えばアプリケーションサーバなど）へ送信されてもよい。ＷＬＡＮワイヤレスアクセスポイントでセルラ・ＷＬＡＮアグリゲーションが可能な場合、ＵＥは、送信すべきデータ／パケットを、例えば図２に関して上述されたように、セルラ送受信機とＷＬＡＮ送受信機とに割り振ってもよい。
【００３４】
図３は、いくつかの例示の実施形態によるＵＥ１３０の例を示す。図３の例示の実施形態では、ＵＥ１３０は、データ／パケットを、セルラ上りリンクを介した送信のためのバッファ（またはスタック）から、ＷＬＡＮ上りリンクを介した送信のための別のバッファ／スタックへ移動させてもよい（逆の場合も同じ）。ＵＥは、ネットワークからのコマンドまたはＵＥにおける条件（例えば輻輳、信号品質、および／または同様のもの）などのトリガに基づきデータを移動させてもよい。このように、無線ベアラが失われても、ＵＥは、失われた無線ベアラを介して送信するためにキューに入れられていたデータ／パケットを送信して復旧し得る。
【００３５】
いくつかの例示の実施形態において、特定のベアラ（例えばネットワークによりＵＥに対して設定されたアクセス層または非アクセス層）に関連するデータ／パケットが、例えば２０５にて提供されたネットワーク設定に従って送信されてもよい。例えば、アクセス層は、ネットワーク設定に基づきセルラ送受信機および上りリンクを介して送信されてもよい（ただしアクセス層はネットワーク設定に基づきＷＬＡＮ送受信機／上りリンクに代わりに設定されることもできる）。
【００３６】
いくつかの例示の実施形態において、（ネットワークによりＵＥに対して設定された）特定の論理チャネルに属するデータ／パケットが、例えば２０５にて提供されたネットワーク設定に従って送信されてもよい。例えば、特定の論理チャネルに属するデータ／パケットは、ネットワーク設定に基づきセルラ送受信機および上りリンクを介して送信されてもよい（ただし特定の論理チャネルに属するデータ／パケットはネットワーク設定に基づきＷＬＡＮ送受信機／上りリンクに代わりに設定されることもできる）。
【００３７】
さらに、または代わりに、例えば図２などで本願明細書に記載された上りリンク送信は、１つ以上の条件および／または閾値が満たされているときなど、ＷＬＡＮがアグリゲート可能な状態にあるときに、ＷＬＡＮ送受信機を介して実行されてもよい。ＷＬＡＮをセルラ・ＷＬＡＮアグリゲーションモードで使用可能かどうかを判断するために、次の条件のうちの１つ以上が考慮されてもよい：ＵＥが３ＧＰＰ／ＷＬＡＮアグリゲーションＷＬＡＮとしてアドバタイズされているＷＬＡＮ  ＡＰを検出したかどうか、ＵＥが送信に利用可能なデータを有する（例えば閾値を超える）かどうか、ＵＥが送信に利用可能な特定のデータを有する（例えば、データが特定の優先度、ＬＣＩＤ、ＡＳ／ＮＡＳベアラ、ＡＰＮ、ＱｏＳ、ＱＣＩに属する）かどうか、および／またはＷＬＡＮおよび３ＧＰＰ閾値が満たされているかどうか。ＷＬＡＮおよび３ＧＰＰ閾値とは、ＴｈｒｅｓｈＳｅｒｖｉｎｇＯｆｆｌｏａｄＷＬＡＮ，ＬｏｗＰ（ＷＬＡＮへのトラフィックステアリングのためにＵＥにより使用されるＲＳＲＰ閾値（ｄＢｍ単位）を指定する）、ＴｈｒｅｓｈＳｅｒｖｉｎｇＯｆｆｌｏａｄＷＬＡＮ，ＨｉｇｈＰ（Ｅ−ＵＴＲＡＮへのトラフィックステアリングのためにＵＥにより使用されるＲＳＲＰ閾値（ｄＢｍ単位）を指定する）、ＴｈｒｅｓｈＳｅｒｖｉｎｇＯｆｆｌｏａｄＷＬＡＮ，ＬｏｗＱ（ＷＬＡＮへのトラフィックステアリングのためにＵＥにより使用されるＲＳＲＱ閾値（ｄＢ単位）を指定する）、ＴｈｒｅｓｈＳｅｒｖｉｎｇＯｆｆｌｏａｄＷＬＡＮ，ＨｉｇｈＱ（Ｅ−ＵＴＲＡＮへのトラフィックステアリングのためにＵＥにより使用されるＲＳＲＱ閾値（ｄＢ単位）を指定する）、ＴｈｒｅｓｈＣｈＵｔｉｌＷＬＡＮ，Ｌｏｗ（ＷＬＡＮへのトラフィックステアリングのためにＵＥにより使用されるＷＬＡＮチャネル利用率（ＢＳＳ負荷）閾値を指定する）、ＴｈｒｅｓｈＣｈＵｔｉｌＷＬＡＮ，Ｈｉｇｈ（Ｅ−ＵＴＲＡＮへのトラフィックステアリングのためにＵＥにより使用されるＷＬＡＮチャネル利用率（ＢＳＳ負荷）閾値を指定する）、ＴｈｒｅｓｈＢａｃｋｈＲａｔｅＤＬＷＬＡＮ，Ｌｏｗ（Ｅ−ＵＴＲＡＮへのトラフィックステアリングのためにＵＥにより使用されるバックホール利用可能下りリンク帯域幅閾値を指定する）、ＴｈｒｅｓｈＢａｃｋｈＲａｔｅＤＬＷＬＡＮ，Ｈｉｇｈ（ＷＬＡＮへのトラフィックステアリングのためにＵＥにより使用されるバックホール利用可能下りリンク帯域幅閾値を指定する）、ＴｈｒｅｓｈＢａｃｋｈＲａｔｅＵＬＷＬＡＮ，Ｌｏｗ（Ｅ−ＵＴＲＡＮへのトラフィックステアリングのためにＵＥにより使用されるバックホール利用可能上りリンク帯域幅閾値を指定する）、ＴｈｒｅｓｈＢａｃｋｈＲａｔｅＵＬＷＬＡＮ，Ｈｉｇｈ（ＷＬＡＮへのトラフィックステアリングのためにＵＥにより使用されるバックホール利用可能上りリンク帯域幅閾値を指定する）、ＴｈｒｅｓｈＢｅａｃｏｎＲＳＳＩＷＬＡＮ，Ｌｏｗ（Ｅ−ＵＴＲＡＮへのトラフィックステアリングのためにＵＥにより使用されるビーコンＲＳＳＩ閾値を指定する）、およびＴｈｒｅｓｈＢｅａｃｏｎＲＳＳＩＷＬＡＮ，Ｈｉｇｈ（ＷＬＡＮへのトラフィックステアリングのためにＵＥに���り使用されるビーコンＲＳＳＩ閾値を指定する）などである。
【００３８】
図４は、いくつかの例示の実施形態による装置１０の例を示す。装置１０は、スマートフォン、タブレット、携帯電話、ウェアラブル無線デバイス、タグ、モノのインターネットデバイス、および／またはその他任意の無線ベースのデバイスなどのユーザ機器１３０を備えてもよい。
【００３９】
いくつかの例示の実施形態において、装置１０はさらに、セルラネットワークまたは他のワイヤレスネットワークへの無線通信リンクを含んでもよい。装置１０は、送信機１４および受信機１６と通信するアンテナアレイ１２を含んでもよい。あるいは、送信および受信アンテナは別々であってもよい。
【００４０】
装置１０はさらに、送信機および受信機それぞれと信号を提供し合い装置の機能を制御するよう構成されたプロセッサ２０を含んでもよい。プロセッサ２０は、電気導線を介して送信機および受信機に制御シグナリングをもたらすことによって送信機および受信機の機能を制御するよう構成されてもよい。同じくプロセッサ２０は、プロセッサ２０をディスプレイまたはメモリなどの他の構成要素に接続する電気導線を介して制御シグナリングをもたらすことによって、装置１０の他の構成要素を制御するよう構成されてもよい。プロセッサ２０は例えば、回路構成、少なくとも１つの処理コア、付随するデジタル信号プロセッサ（単数または複数）を備える１つ以上のマイクロプロセッサ、付随するデジタル信号プロセッサのない１つ以上のプロセッサ（単数または複数）、１つ以上のコプロセッサ、１つ以上のマルチコアプロセッサ、１つ以上のコントローラ、処理回路構成、１つ以上のコンピュータ、集積回路（例えば特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、フィールドプログラマブルゲートアレイ（ＦＰＧＡ：ｆｉｅｌｄ  ｐｒｏｇｒａｍｍａｂｌｅ  ｇａｔｅ  ａｒｒａｙ）、および／または同様のもの）を含む他の様々な処理要素、またはその何らかの組み合わせを含む多様な形で具現化され得る。装置１０は、位置プロセッサ、および／またはポジショニングおよび／またはナビゲーション情報などの位置情報を取得するためのインターフェースを含んでもよい。したがって、プロセッサ２０は単一のプロセッサとして示されているが、いくつかの例示の実施形態ではプロセッサまたは処理コアを複数備えてもよい。
【００４１】
プロセッサ２０によって送信および受信される信号は、該当するセルラシステムのエアインターフェース標準、および／または任意数の異なる有線または無線ネットワーキング技術に従ったシグナリング情報を含んでもよい。無線ネットワーキング技術は、Ｗｉ−Ｆｉ、米国電気電子学会（ＩＥＥＥ：Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１、８０２．１６、および／または同様のものなどのワイヤレスローカルアクセスネットワーク（ＷＬＡＮ：ｗｉｒｅｌｅｓｓ  ｌｏｃａｌ  ａｃｃｅｓｓ  ｎｅｔｗｏｒｋ）技術を含むが、これらに限定はされない。さらに、これらの信号は、音声データ、ユーザが生成したデータ、ユーザがリクエストしたデータ、および／または同様のものを含んでもよい。
【００４２】
装置１０は、１つ以上のエアインターフェース標準、通信プロトコル、変調型、アクセス型、および／または同様のものを用いて動作できてもよい。例えば、装置１０および／またはその中のセルラモデムは、様々な第１世代（１Ｇ：ｆｉｒｓｔ  ｇｅｎｅｒａｔｉｏｎ）通信プロトコル、第２世代（２Ｇ（ｓｅｃｏｎｄ  ｇｅｎｅｒａｔｉｏｎ）または２．５Ｇ）通信プロトコル、第３世代（３Ｇ：ｔｈｉｒｄ−ｇｅｎｅｒａｔｉｏｎ）通信プロトコル、第４世代（４Ｇ：ｆｏｕｒｔｈ−ｇｅｎｅｒａｔｉｏｎ）通信プロトコル、インターネットプロトコルマルチメディアサブシステム（ＩＭＳ：Ｉｎｔｅｒｎｅｔ  Ｐｒｏｔｏｃｏｌ  Ｍｕｌｔｉｍｅｄｉａ  Ｓｕｂｓｙｓｔｅｍ）通信プロトコル（例えばセッション開始プロトコル（ＳＩＰ：ｓｅｓｓｉｏｎ  ｉｎｉｔｉａｔｉｏｎ  ｐｒｏｔｏｃｏｌ））、および／または同様のものに従って動作できてもよい。例えば装置５００は、２Ｇワイヤレス通信プロトコルのＩＳ−１３６、時分割多元接続ＴＤＭＡ（Ｔｉｍｅ  Ｄｉｖｉｓｉｏｎ  Ｍｕｌｔｉｐｌｅ  Ａｃｃｅｓｓ）、グローバルシステムフォーモバイルコミュニケーションズ、すなわちＧＳＭ（登録商標）、ＩＳ−９５、符号分割多元接続、すなわちＣＤＭＡ（Ｃｏｄｅ  Ｄｉｖｉｓｉｏｎ  Ｍｕｌｔｉｐｌｅ  Ａｃｃｅｓｓ）、および／または同様のものに従って動作できてもよい。さらに、例えば装置５００は、２．５Ｇワイヤレス通信プロトコルの汎用パケット無線サービス（ＧＰＲＳ：Ｇｅｎｅｒａｌ  Ｐａｃｋｅｔ  Ｒａｄｉｏ  Ｓｅｒｖｉｃｅ）、拡張データＧＳＭ環境（ＥＤＧＥ：Ｅｎｈａｎｃｅｄ  Ｄａｔａ  ＧＳＭ  Ｅｎｖｉｒｏｎｍｅｎｔ）、および／または同様のものに従って動作できてもよい。さらに、例えば装置５００は、ユニバーサルモバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、符号分割多元接続２０００（ＣＤＭＡ２０００）、ＷＣＤＭＡ（登録商標）、時分割同期符号分割多元接続（ＴＤ−ＳＣＤＭＡ：Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ）、および／または同様のものなどの３Ｇワイヤレス通信プロトコルに従って動作できてもよい。装置１３０はさらに、ロングタームエボリューション（ＬＴＥ：Ｌｏｎｇ  Ｔｅｒｍ  Ｅｖｏｌｕｔｉｏｎ）、発展型ユニバーサル地上無線アクセスネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）、および／または同様のものなどの３．９Ｇワイヤレス通信プロトコルに従って動作できてもよい。さらに、例えば装置１０は、ＬＴＥアドバンストおよび／または同様のものなどの４Ｇワイヤレス通信プロトコル、ならびに後に開発され得る同様のワイヤレス通信プロトコルに従って動作できてもよい。
【００４３】
当然のことながら、プロセッサ２０は、装置１０のオーディオ／ビデオおよび論理機能を実装する回路構成を含んでもよい。例えばプロセッサ２０は、デジタル信号プロセッサデバイス、マイクロプロセッサデバイス、アナログ−デジタル変換器、デジタル−アナログ変換器、および／または同様のものを備えてもよい。装置５００の制御および信号処理機能は、デバイスのそれぞれの能力に従ってこれらのデバイス間に割り当てられてもよい。プロセッサ２０はさらに、内蔵音声符号器（ＶＣ：ｖｏｉｃｅ  ｃｏｄｅｒ）２０ａ、内蔵データモデム（ＤＭ：ｄａｔａ  ｍｏｄｅｍ）２０ｂ、および／または同様のものを備えてもよい。さらにプロセッサ２０は、メモリに記憶され得る１つ以上のソフトウェアプログラムを動作させる機能性を有してもよい。一般に、プロセッサ２０および記憶されたソフトウェア命令は、装置１０に動作を実行させるよう構成され得る。例えばプロセッサ２０は、ウェブブラウザなどの接続性プログラムを動作させることができてもよい。接続性プログラムは、装置１０が、ロケーションベースのコンテンツなどのウェブコンテンツを、ワイヤレスアプリケーションプロトコル、ワイヤレスアクセスポイント、ハイパーテキスト転送プロトコル、すなわちＨＴＴＰ（ｈｙｐｅｒｔｅｘｔ  ｔｒａｎｓｆｅｒ  ｐｒｏｔｏｃｏｌ）、および／または同様のものなどのプロトコルに従って送受信できるようにしてもよい。
【００４４】
装置１０はさらに、例えばイヤホンまたはスピーカ２４、リンガ２２、マイクロフォン２６、ディスプレイ２８、ユーザ入力インターフェース、および／または同様のものなどを含むユーザインターフェースを備えてもよく、これは、プロセッサ２０に動作的に結合されてもよい。上述のとおり、ディスプレイ２８は、タッチ感応型ディスプレイを含んでもよく、ユーザは、タッチおよび／またはジェスチャをして、選択、値の入力、および／または同様のことを行ってもよい。プロセッサ２０はさらに、スピーカ２４、リンガ２２、マイクロフォン２６、ディスプレイ２８、および／または同様のものなどのユーザインターフェースの構成要素１つ以上の少なくともいくつかの機能を制御するよう構成された、ユーザインターフェース回路構成を含んでもよい。プロセッサ２０および／またはプロセッサ２０を備えるユーザインターフェース回路構成は、例えば揮発性メモリ４０、不揮発性メモリ４２、および／または同様のものなどのプロセッサ２０がアクセスできるメモリ上に記憶された、例えばソフトウェアおよび／またはファームウェアなどのコンピュータプログラム命令によって、ユーザインターフェースの１つ以上の構成要素の１つ以上の機能を制御するよう構成されてもよい。装置５００は、例えば、検出可能な出力として機械的振動をもたらす回路など、モバイル端末に関係する様々な回路に電力を供給する電池を含んでもよい。ユーザ入力インターフェースは、キーパッド３０（ディスプレイ２８上に提示される仮想キーボードまたは外部結合されたキーボードとすることができる）および／またはその他入力デバイスなど、装置１０がデータを受信できるようにするデバイスを備えてもよい。
【００４５】
さらに、装置１０は、短距離無線周波数（ＲＦ：ｒａｄｉｏ  ｆｒｅｑｕｅｎｃｙ）送受信機および／またはインテロゲータ６４を含んでもよい。したがって、データは、ＲＦ技術に従って、電子デバイスと共有されても、かつ／または電子デバイスから取得されてもよい。装置１０は、赤外線（ＩＲ：ｉｎｆｒａｒｅｄ）送受信機６６、Ｂｌｕｅｔｏｏｔｈ（登録商標）ワイヤレス技術を使用して動作するＢｌｕｅｔｏｏｔｈ（ＢＴ）送受信機６８、ワイヤレスユニバーサルシリアルバス（ＵＳＢ：ｕｎｉｖｅｒｓａｌ  ｓｅｒｉａｌ  ｂｕｓ）送受信機７０、および／または同様のものなどの他の短距離送受信機を含んでもよい。Ｂｌｕｅｔｏｏｔｈ送受信機６８は、低電力または超低電力Ｂｌｕｅｔｏｏｔｈ技術、例えばＷｉｂｒｅｅ、Ｂｌｕｅｔｏｏｔｈ  Ｌｏｗ−Ｅｎｅｒｇｙ、ＮＦＣ、およびその他の無線標準に従って動作できてもよい。この関連で、装置１０、および特に短距離送受信機は、１０メートル以内など装置の近傍にある電子デバイスとの間でデータの送信および／またはデータの受信をすることができてもよい。Ｗｉ−Ｆｉまたはワイヤレスローカルエリアネットワーキングモデムを含む装置１０は、６ＬｏＷｐａｎ、Ｗｉ−Ｆｉ、低電力Ｗｉ−Ｆｉ、ＩＥＥＥ８０２．１１技術、ＩＥＥＥ８０２．１５技術、ＩＥＥＥ８０２．１６技術、および／または同様のものなどのＷＬＡＮ技術を含む様々なワイヤレスネットワーキング技術により電子デバイスからデータを送信および／または受信することもできてもよい。
【００４６】
装置１０は、モバイルサブスクライバに関係する情報要素を記憶できる、加入者識別モジュール（ＳＩＭ：ｓｕｂｓｃｒｉｂｅｒ  ｉｄｅｎｔｉｔｙ  ｍｏｄｕｌｅ）３８、取り外し可能なユーザ識別モジュール（Ｒ−ＵＩＭ：ｒｅｍｏｖａｂｌｅ  ｕｓｅｒ  ｉｄｅｎｔｉｔｙ  ｍｏｄｕｌｅ）、および／または同様のものなどのメモリを備えてもよい。ＳＩＭに加えて、装置５００は、他の取り外し可能および／または固定メモリを含んでもよい。装置１０は、揮発性メモリ４０および／または不揮発性メモリ４２を含んでもよい。例えば揮発性メモリ４０は、ダイナミックおよび／またはスタティックＲＡＭ、オンチップまたはオフチップキャッシュメモリ、および／または同様のものを含むランダムアクセスメモリ（ＲＡＭ：Ｒａｎｄｏｍ  Ａｃｃｅｓｓ  Ｍｅｍｏｒｙ）を含んでもよい。不揮発性メモリ４２は、内蔵型および／または取り外し可能であってもよく、例えば、読み取り専用メモリ、フラッシュメモリ、例えばハードディスク、フロッピーディスクドライブ、磁気テープなどの磁気記憶デバイス、光ディスクドライブおよび／または媒体、不揮発性ランダムアクセスメモリ（ＮＶＲＡＭ：ｎｏｎ−ｖｏｌａｔｉｌｅ  ｒａｎｄｏｍ  ａｃｃｅｓｓ  ｍｅｍｏｒｙ）、および／または同様のものを含んでもよい。揮発性メモリ４０のように、不揮発性メモリ４２は、データの一時記憶のためのキャッシュ領域を含んでもよい。揮発性および／または不揮発性メモリの少なくとも一部がプロセッサ２０に組み込まれてもよい。メモリは、本願明細書において例えばプロセス２００に記載されたような動作を実行するために装置によって使用されてもよい、１つ以上のソフトウェアプログラム、命令、複数の情報、データ、および／または同様のものを記憶してもよい。メモリは、国際モバイル機器識別情報（ＩＭＥＩ：ｉｎｔｅｒｎａｔｉｏｎａｌ  ｍｏｂｉｌｅ  ｅｑｕｉｐｍｅｎｔ  ｉｄｅｎｔｉｆｉｃａｔｉｏｎ）コードなどの、装置５００を一意に識別できる識別子を備えてもよい。機能には、プロセス２００に関して本願明細書に開示された動作のうちの１つ以上が含まれてもよい。例示の実施形態において、プロセッサ２０は、メモリ４０および／または４２に記憶されたコンピュータコードを使用して、ユーザ機器をセルラとの無線ＬＡＮアグリゲーションのために少なくとも設定する設定情報をユーザ機器にて受信すること、および受信された設定に基づきパケット送信をセルラ送受信機と無線ＬＡＮ送受信機とに割り振ること、などの動作を提供するよう構成されてもよい。
【００４７】
本願明細書に開示された実施形態の一部は、ソフトウェア、ハードウェア、アプリケーション論理、またはソフトウェア、ハードウェア、およびアプリケーション論理の組み合わせにおいて実装されてもよい。ソフトウェア、アプリケーション論理、および／またはハードウェアは、例えば、本願明細書に開示されたメモリ４０、制御装置２０、または電子コンポーネントに存在してもよい。いくつかの例示の実施形態では、アプリケーション論理、ソフトウェア、または命令セットは、様々な従来のコンピュータ可読媒体のうちの任意のものに保持される。本文書の文脈では、「コンピュータ可読媒体」は、コンピュータまたはデータプロセッサ回路構成などの命令実行システム、装置、もしくはデバイスによってまたはそれに関連して使用される命令を含むこと、記憶すること、伝達すること、伝播させること、または搬送することができる任意の非一時的媒体であってもよい。コンピュータ可読媒体は、コンピュータなどの命令実行システム、装置、もしくはデバイスによってまたはそれに関連して使用される命令を含むことまたは記憶することができる任意の媒体であってもよい、非一時的コンピュータ可読記憶媒体を備えてもよい。さらに、本願明細書で開示された実施形態の一部は、本願明細書で開示されたような方法（例えばプロセス２００などを参照）を生じさせるよう構成されたコンピュータプログラムを含む。
【００４８】
図５は、いくつかの例示の実施形態による、ワイヤレスアクセスポイント１１０Ｂまたは基地局１１０Ａなどのネットワークノード５００の例示の実装を示す。ノード５００は、下りリンクを介して送信するよう構成されさらにアンテナ（単数または複数）５２０を介して上りリンクを受信するよう構成された１つまたは複数のアンテナ５２０を含んでもよい。ノード５００は、アンテナ（単数または複数）５２０に結合された複数の無線インターフェース５４０をさらに含んでもよい。無線インターフェース５４０は、セルラ、ＬＴＥ、ＷＬＡＮ、Ｂｌｕｅｔｏｏｔｈ、ＢＴ−ＬＥ、ＮＦＣ、無線周波数識別子（ＲＦＩＤ：ｒａｄｉｏ  ｆｒｅｑｕｅｎｃｙ  ｉｄｅｎｔｉｆｉｅｒ）、超広帯域（ＵＷＢ：ｕｌｔｒａｗｉｄｅｂａｎｄ）、ＺｉｇＢｅｅなどのうちの１つ以上を含む複数の無線アクセス技術に対応してもよい。無線インターフェース５４０は、例えばフィルタ、変換器（例えばデジタル・アナログ変換器など）、マッパー、高速フーリエ変換（ＦＦＴ：Ｆａｓｔ  Ｆｏｕｒｉｅｒ  Ｔｒａｎｓｆｏｒｍ）モジュールなどの回路構成を含んでもよい。ノード５００は、ノード５００を制御し、メモリ５３５に記憶されたプログラムコードにアクセスしてそれを実行する、プロセッサ回路構成５３０などの１つ以上のプロセッサをさらに含んでもよい。いくつかの例示の実施形態では、メモリ５３５は、少なくとも１つのプロセッサにより実行されると本願明細書で基地局１１０Ａおよび／またはワイヤレスアクセスポイント１１０Ｂに関して記載された動作のうちの１つ以上を生じさせるプログラムコードを含む。例えば、動作は、セルラＷＬＡＮアグリゲーションを有効化するためにＵＥに設定情報を提供すること、ＷＬＡＮトラフィックとセルラトラフィックとをアグリゲートするための指示を送信すること、および／または本願明細書で開示された基地局１１０Ａおよび／またはワイヤレスアクセスポイント１１０Ｂに関連する他の任意の動作を実行することを含んでもよい。
【００４９】
いくつかの例示の実施形態では、基地局１１０Ａは、発展型ノードＢ（ｅＮＢ：ｅｖｏｌｖｅｄ  ＮｏｄｅＢ）タイプの基地局として実装され得るが、ＷＬＡＮまたはＷｉ−Ｆｉタイプのアクセスポイントなど他のタイプの無線アクセスポイントも実装されてもよい。発展型ノードＢ（ｅＮＢ）タイプの基地局が使用される場合、基地局は、ロングタームエボリューション（ＬＴＥ）規格を含み、例えば３ＧＰＰ  ＴＳ  ３６．２０１、「発展型ユニバーサル地上無線アクセス（Ｅ−ＵＴＲＡ）、ロングタームエボリューション（ＬＴＥ）物理レイヤ、概要（Evolved Universal Terrestrial Radio Access (E-UTRA), Long Term Evolution (LTE) physical layer, General description）」、３ＧＰＰ  ＴＳ  ３６．２１１、「発展型ユニバーサル地上無線アクセス（Ｅ−ＵＴＲＡ）、物理チャネルおよび変調（Evolved Universal Terrestrial Radio Access (E-UTRA), Physical channels and modulation）」、３ＧＰＰ  ＴＳ  ３６．２１２、「発展型ユニバーサル地上無線アクセス（Ｅ−ＵＴＲＡ）、多重化およびチャネル符号化（Evolved Universal Terrestrial Radio Access (E-UTRA), Multiplexing and channel coding）」、３ＧＰＰ  ＴＳ  ３６．２１３、「発展型ユニバーサル地上無線アクセス（Ｅ−ＵＴＲＡ）、物理レイヤプロシージャ（Evolved Universal Terrestrial Radio Access (E-UTRA), Physical layer procedures）」、３ＧＰＰ  ＴＳ  ３６．２１４、「発展型ユニバーサル地上無線アクセス（Ｅ−ＵＴＲＡ）、物理レイヤ−測定プロトコル仕様（Evolved Universal Terrestrial Radio Access (E-UTRA), Physical layer - Measurements Protocol specification）」、３ＧＰＰ  ＴＳ  ３６．３３１、「技術仕様化グループ無線アクセスネットワーク、発展型ユニバーサル地上無線アクセス（Ｅ−ＵＴＲＡ）、無線リソース制御（ＲＲＣ）（Technical Specification Group Radio Access Network, Evolved Universal Terrestrial Radio Access (E-UTRA), Radio Resource Control (RRC)）」、ならびにこれらおよびその他の３ＧＰＰ規格シリーズに対する後続する任意の追加または改訂を含む規格（ＬＴＥ規格と総称される）などの規格に従って構成されてもよい。ワイヤレスアクセスポイント１１０はさらに、例えばＷｉＦｉ（例えばＩＥＥＥ８０２．１１規格シリーズ）などのＷＬＡＮ技術、ならびにセルをサーブできる他の任意の無線アクセス技術を使用してセルにサービスを提供するよう構成されてもよい。
【００５０】
添付の請求項の範囲、解釈、または応用を少しも限定するものではないが、本願明細書に開示された例示の実施形態１つ以上の技術的効果は、データスループットの向上および／または上りリンクスケジューリングに関する柔軟性の向上である。
【００５１】
本願明細書に記載された主題は、所望の構成に応じて、システム、装置、方法、および／または物に具現化されてもよい。例えば、本願明細書に記載されたシステム、装置、方法、および／または物は、例えばトランジスタ、インダクタ、コンデンサ、抵抗器などの電子部品、プログラムコードを実行するプロセッサ、特定用途向け集積回路（ＡＳＩＣ）、デジタル信号プロセッサ（ＤＳＰ：ｄｉｇｉｔａｌ  ｓｉｇｎａｌ  ｐｒｏｃｅｓｓｏｒ）、組み込みプロセッサ、フィールドプログラマブルゲートアレイ（ＦＰＧＡ）、および／またはその組み合わせのうちの１つ以上を使用して実装可能である。これら様々な例示の実施形態は、記憶システムからデータおよび命令を受信し、記憶システムにデータおよび命令を送信するよう結合された、専用または汎用とされ得る少なくとも１つのプログラマブルプロセッサと、少なくとも１つの入力デバイスと、少なくとも１つの出力デバイスとを含むプログラマブルシステム上で実行可能および／または解釈可能な、１つ以上のコンピュータプログラムにおける実装を含んでもよい。これらのコンピュータプログラム（プログラム、ソフトウェア、ソフトウェアアプリケーション、アプリケーション、コンポーネント、プログラムコード、またはコードとしても知られる）は、プログラマブルプロセッサのための機械命令を含み、高水準手続き型および／またはオブジェクト指向プログラミング言語で、および／またはアセンブリ言語／機械語で実装されてもよい。本願明細書で使用される「機械可読媒体」という用語は、機械命令を受信する機械可読媒体を含む、プログラマブルプロセッサに機械命令および／またはデータを提供するために使用される任意のコンピュータプログラム製品、コンピュータ可読媒体、コンピュータ可読記憶媒体、装置、および／またはデバイス（例えば、磁気ディスク、光ディスク、メモリ、プログラマブル論理デバイス（ＰＬＤ：Ｐｒｏｇｒａｍｍａｂｌｅ  Ｌｏｇｉｃ  Ｄｅｖｉｃｅ））を指す。同じく、プロセッサと、プロセッサに結合されたメモリとを含み得るシステムも本願明細書に記載される。メモリは、本願明細書に記載された動作のうちの１つ以上をプロセッサに実行させる１つ以上のプログラムを含んでもよい。
【００５２】
上記では少数の変形が詳細に記載されたが、他の修正または追加が可能である。特に、さらなる特徴および／または変形が、本願明細書に記載されたものに加えて提供されてもよい。さらに、上述された例示の実施形態は、開示された特徴の様々な組み合わせおよび一部組み合わせ、および／または上記で開示されたいくつかのさらなる特徴の組み合わせおよび一部組み合わせを対象とし得る。さらに、添付の図面に示され且つ／または本願明細書に記載された論理フローは、示された特定の順序、または順番を、所望の結果の達成のために要求するものではない。他の実施形態が、添付の特許請求の範囲に記載の範囲内にあることもある。
【図１】
2020005290.tif 000003
【図２】
2020005290.tif 000004
【図３】
2020005290.tif 000005
【図４】
2020005290.tif 000006
【図５】
2020005290.tif 000007